(57)【特許請求の範囲】
【請求項１】
黒色などのカラー布地面に白色または乳白色の文字や図形または模様をプリントする方法において、上記文字や図形又は模様をコピー用紙にネガコピーし、これを基材上に離型層、接着層、乳白色層を積層したＢシートに重ね合わせて、高温・高圧下で所定時間加圧し、その後コピー用紙を剥がすことでトナーに離型層から分離した乳白色層と接着層が付着し、Ｂシート側の乳白色層と接着層の一部が無くなることで残っている乳白色層と接着層でプリントされる文字や図形等が形成され、そしてこのＢシートには基材の上に離型層と樹脂層を積層しているＡシートを重ね合わせて、高温・高圧下で所定時間加圧し、その後Ａシートを剥がすことで該Ａシートの樹脂層面にはＢシートから分離した乳白色層と接着層が付着し、このＡシートを所定の布地面に当てがって同じく高温・高圧下で所定時間加圧し、その後Ａシートを剥がすことで布地面には乳白色または白色をした文字、図形または模様をプリントすることを特徴とする電子画像のプリント方法。
【請求項２】
黒色などのカラー布地面に白色または乳白色のベースをプリントし、そのベース上にカラー文字やカラー図形またはカラー模様を形成する方法において、基材上に離型層と樹脂層を積層しているＡシートに上記文字や図形、または模様をカラーコピーし、一方、上記ベースをコピー用紙にネガコピーし、これを基材上に離型層、接着層、乳白色層を積層したＢシートに重ね合わせて、高温・高圧下で所定時間加圧し、その後コピー用紙を剥がすことでトナーに離型層から分離した乳白色層と接着層が付着し、Ｂシート側の乳白色層と接着層の一部が無くなることで残っている乳白色層と接着層でプリントされるベース形状が形成され、そしてこのＢシートには文字や図形または模様をカラーコピーした上記Ａシートを重ね合わせて、高温・高圧下で所定時間加圧し、その後Ａシートを剥がすことで該ＡシートのカラートナーにはＢシートから分離した乳白色層と接着層が付着し、このＡシートを所定の布地面に当てがって同じく高温・高圧下で所定時間加圧し、その後Ａシートを剥がすことで布地面には乳白色または白色をしたベースがプリントされると共に、ベース上にはカラー文字、カラー図形またはカラー模様を形成することを特徴とする電子画像のプリント方法。
【発明の詳細な説明】
【０００１】
【発明の属する技術分野】
本発明は電子画像形成装置によって得られる電子画像を熱転写シートに支持させ、この画像をＴシャツ等の布地面に転写する技術に関するすものである。
【０００２】
【従来の技術】
近年においては特に個性化の傾向が進み、商品の多種小ロット生産を余儀なくされている。しかし、製造コストは抑制される為に、Ｔシャツ等の布地面に形成する模様や図柄を如何に簡単に、低コストにて製作するかが大きな課題である。そこで、この要求を満たすプリント方法として電子画像形成装置を利用し、この装置によって熱転写シートに所定の画像を映し出し、該熱転写シートを布地面に当てがって高温加圧することでプリントすることが出来る。
【０００３】
この場合、上記画像はコンピュータにて容易に作成することが出来、作成した画像は電子画像形成装置から出力して上記熱転写シートに移される。特開平３−４８８６０号に係る「トナー像受容体の製造方法」もこの従来技術の１つである。すなわち、この技術は「少なくともトナー像に対して接着性を有する表面層を持つ転写材上に定着トナー像を形成し、このトナー像が形成された転写材表面を像受容体と対向接触させて、トナーの軟化点以上の状態で上記像受容体と上記転写材を分離することにより上記トナー像の厚み方向の一部を上記像受容体に転写するトナー像受容体の製造方法」である。
【０００４】
また、平成５年３月１１日特許出願の「電子画像形成装置を用いた画像形成支持体による画像インスタント感圧転写方法」も従来技術である。この技術は「基礎台上の像支持膜の表面に、トナーを所定パターに定着した後、定着されたトナー像上にカバーコートを施し、感圧用の接着剤を塗布し、トナー像定置面が転写対象に接するように向けて、象支持膜を転写位置に置きながら像支持膜から基礎台を剥がし、像支持膜の上からトナー像部を擦り押えた後、像支持膜を剥がし、転写位置にトナー像を転写する画像インスタント感圧転写方法。」である。
【０００５】
ところで、これら従来の転写方法では転写シートに形成されている画像全体が布地面に移されてしまったり、またプリントされる布地面が白色以外のカラー色を呈している場合には鮮やかな色彩でもって模様等をプリントすることが出来ない。すなわち、長方形の転写シートであるならば、該シートに描かれている図柄や文字のみならず、その周囲の下地面までもが布地面に移されて風合いが損なわれると共に、形成されるデザインも好ましくない場合が多い。
【０００６】
そこで、必要とする模様や文字のみを布地面に鮮やかな色彩をもって移すことが出来る方法として平成７年９月２０日付けの「電子画像のプリント方法及び熱転写シート」が知られている（特開平９−８７９８０号）。この方法は「基材と離型層とポリビニールアセテート層（ＰＶＡ層）、またはポリエステル樹脂層から成るＡシートと、基材、離型層、接着層、それに色彩層から成るＢシート層の２枚のシートを用いて何れかのシート面にコピーをして所定の模様や文字等をトナー層によって形成し、上記両シートをトナー層を間にして重ね合わせると共に、所定温度で加熱・プレスし、その後両シートを剥がすことによって上記Ａシートのトナー層の上には剥離したＢシートの色彩層と接着層を形成し、該ＡシートをＴシャツ等の物品に貼り合せて基材を離型層と共に剥がし取り、さらに所定温度にて加熱状態でプレスした後で、表面の上記ポリビニールアセテート層またはポリエステル樹脂層を剥がし取る工程から成る」方法である。
【０００７】
したがって、プリントされた模様や文字を形成するトナー層の下層には色彩層が介在する為に、トナーの色彩がＴシャツ等の色に影響されることはなく、鮮やかな模様となってプリントされる。そしてプリントされるＴシャツが白色に限らず、カラー色であっても何ら問題はないが、白色の文字や模様をカラー布地面にプリントすることは不可能である。すなわち、白色トナーは存在しない為であるが、デザイン化された文字や模様、図形には白色が組合わされる場合が多く、従来方法では構成される模様や図形が大きく制約されてしまう。
【０００８】
一方、特開平１０−３２５０８７号公報などに記載されているように、濃色用熱転写シートに電子画像をコピーし、そのシートのコピー部分の必要な個所をカッターなどで切り抜き、不要な部分を取り除いて濃色被写体物への転写プリントが成されている。また白文字等をプリントする場合は、例えば書体をコンピュータでアウトラインデーターに置き換え、そのデーターに沿って濃色用転写シートを自動的に裁断することが出来、そして剥離層を支持した別の転写シートに熱プレスして写し、その転写シートを濃色被写体物に熱転写してプリントすることも出来る。
【０００９】
しかし濃色用転写シートに電子画像をコピーして必要とする個所を正確に切り抜くことは容易でなく、しかも５ｍｍ以下の大きさからなる書体や図形を裁断することは困難であることから、このような小さな図形を使用することは現実的ではない。それに文字や図形をコンピュータでアウトラインデーターに置き換え、このデーターを利用して濃色用転写シートを自動裁断する装置は非常に高く、低コストでプリントする要求を満足することは出来ない。
【００１０】
【発明が解決しようとする課題】
このように従来の電子画像のプリント方法には上記のごとき問題がある。本発明が解決しようとする課題はこれら問題点であり、濃色用転写シートにコピーした電子画像を切り抜くことなく、またコンピュータでアウトラインデーターを作成してカッティングプロッターで切り抜く必要がなく、さらに図形の大きさに左右されることなく、低コストで、短時間に濃色被写体物に転写プリントすることが出来る電子画像のプリント方法を提供する。
【００１１】
【課題を解決する為の手段】
本発明の転写方法は白色または乳白色をプリントすることが出来る方法であり、カラー布地面に白色文字または図形、模様を形成することが出来る。そして一方では白色または乳白色をベースとしてそのベース上にカラー文字、図形または模様を形成することも出来る。そこで、普通のコピー用紙を使用して所定の文字等をネガコピーしたものを使用し、これをＢシートに重ね合わせて高温化で加圧して接着した後でコピー用紙を剥がす。
【００１２】
このＢシートとは基材、離型層、接着層、それに白色層（乳白色層）が積層して構成されているシートであり、このＢシートと熱プレスしたコピー用紙を剥がすならば文字等を表しているトナーに白色層と接着層が密着して離型層から分離する。したがってＢシートはトナーと密着した部分が剥がされてしまい、白色層の文字等が浮かび上がる。これにＡシートを重ね合わせて熱プレスするならば、Ｂシートの白色層と接着層は離型層から剥がされてＡシート側に移動する。ここでＡシートとは基材と離型層それに樹脂層から成って互いに積層されたシートである。
【００１３】
ここで白色層の上には接着層が位置していて、このＡシートを布地面に当てがって熱プレスを施す。そしてＡシートを剥がすならば、白色層は接着層が布地面に接着することでＡシートから剥がれ、布地面には白色文字が形成される。勿論、白色層にて形成されるものは文字に限らず、図形や模様を形成することも出来る。
【００１４】
一方の白色層の上にカラー層でもって文字や図形、または模様を形成することも出来るが、この場合にはＡシートに文字、図形または模様をカラーコピーする。一方のＢシートはベースをネガコピーしたコピー用紙と圧着して剥がされたものであり、白色層と接着層にてベースが形成され、このＢシートにＡシートを重ね合わせて熱プレスして剥がすならば、カラー層の上には白色層が密着して移される。そしてこのＡシートを布地面に合わせて熱プレスするならば離型層から分離して、布地面にはベースとなる白色層の上にカラー文字やカラー図形が形成される。ここで、Ａシート及びＢシートを圧着する際の温度並びに圧力、それに加圧時間はこれらシートを構成する材質により左右される為に限定はしない。以下、本発明に係る実施例を図面に基づいて詳細に説明する。
【００１５】
【実施例】
図１は白色の「Ａ」なる文字を黒のシャツにプリントした場合である。また図２は黒のシャツに正方形で白色ベースを作り、このベースに「Ａ」なるカラー文字をプリントした場合を示している。プリントの対象物は特に限定せず、また布地の色彩も自由である。
【００１６】
ところで図１に示す白色の「Ａ」文字を黒のＴシャツにプリントする場合を図３に基づいて説明する。まずコピー機を使用して文字Ａをコピー用紙１にネガコピーし、これをＢシート２に重ね合わせると共に、約１３０℃の温度で平方センチ当り約３２０ｇの圧力を加え、約３０秒間加圧する。同図（ａ）はネガコピーされたコピー用紙１とＢシート２を示しているが、コピー用紙には文字Ａの部分を除いた領域にトナー３が付着している。すなわちネガコピーである為に、トナー３が付着していない部分で文字Ａを形成している。
【００１７】
Ｂシートはフイルムなどの基材４、シリコンなどを用いた離型層５（例えば信越シリコンＫＳ７７６Ｌ）、接着層６（例えば大日本インキ社のクリスボン４４０７）、及び乳白色層７からなり、各層は互いに積層された１枚のシートを構成している。そしてこのＢシート２にネガコピーしたコピー用紙１を高温・高圧下で圧着してからコピー用紙１を剥がすならば、同図（ｂ）に示すように、トナー３の部分には乳白色層７と接着層６が離型層５から分離して付着する。したがってＢシート２ｂには文字Ａを象った乳白色層７が残ることになる。
【００１８】
同図（ｃ）はＢシート２ｂにＡシート８を重ね合わせて圧接する場合であり、このＡシート８ａは基材９、離型層１０、及び樹脂層１１（例えば互応化学社のカバーコートレジンＬＯ−３００）の３層からなっている。この場合の圧接条件は、約１３０℃の温度で平方センチ当り約３２０ｇの圧力を加え、約３０秒間加圧する。そして高温・圧接後にＡシート８ａを剥がすならば、該Ａシート８ｂにはＡ文字を象っている乳白色層７と接着層６が付着して移される。その結果、Ｂシート２ｃは基材４と離型層５の２層だけとなる。
【００１９】
そしてこのＡシート８ｂを黒いＴシャツに貼り合せ、同じく高温・高圧下で圧着する。圧着条件は、約１３０℃の温度で平方センチ当り約３２０ｇの圧力を加えて約１５秒間加圧し、その後Ａシート８ｃを剥がすならば、Ａ文字を象った乳白色層７はＴシャツにプリントされる。すなわち、接着層６を介して固着し、乳白色層７の上面にはクリヤーコートとして樹脂層１１が被覆されている。このように、黒いＴシャツ面には乳白色または白色のＡ文字が形成されることになり、同じような方法で他の布地面にも別の文字や図形または図柄をプリントすることが出来る。
【００２０】
図４は前記図２に示す白色ベース１３に「Ａ」文字を形成した図柄をプリントする工程を示している。同図（ａ）に示すＡシート８ｄは基材９、離型層１０、及び樹脂層１１を積層してなるＡシート８ａに「Ａ」文字をカラーコピーしたものでカラートナー１４が付着し、またＢシート２ｂは基材４と離型層５が積層した上にベースとなる接着層６と乳白色層７が積層している。これは、コピー用紙１にベースをネガコピーしたものを上記Ｂシート２ａと圧接して剥がしたものであり、ベース以外の領域はコピー用紙のトナー３に付着して剥がされる。
【００２１】
そしてＡシート８ｄとＢシート２ｂを重ね合わせて高温・高圧下で圧着する。圧着条件は、約１３０℃の温度で平方センチ当り約３２０ｇの圧力を加え、約３０秒間加圧する。その後Ａシート８ｅを剥がすならば、（ｂ）に示すようにＡシート８ｅにはＢシート２ｂのベースを象った接着層６と乳白色層７が付着して移ることになる。したがってＢシート２ｃは基材４と離型層５の２層だけとなる。
【００２２】
ところで、このＡシート８ｅを黒のＴシャツ布地面に重ね合わせて高温・高圧下で圧着する。圧着条件は約１３０℃の温度で平方センチ当り約３２０ｇの圧力を加え、約１５秒間加圧する。したがってＴシャツには白色ベース１３となる乳白色層７が接着層６を介して固着し、その上にはカラートナーにて形成されるＡ文字が形成され、さらにこのＡ文字を保護するための樹脂層１１が被覆することになる。
【００２３】
以上述べたように、本発明のプリント方法は基材に離型層、接着層、それに乳白色層を積層したＢシートと、基材に離型層と樹脂層を積層したＡシートを用いてカラー布地面に白色の文字や図形を形成することが出来るものであって、次のような効果を得ることが出来る。
【００２４】
【発明の効果】
本発明はＡシートと白色層または乳白色層を有すＢシートを使用してカラー布地面に白色または乳白色の文字や図形または模様を形成することが出来る。またカラー布地面に白色ベースをプリントし、そのベース上にカラー文字やカラー図形またはカラー模様を形成することが出来る。本発明では従来のように濃色用熱転写シートに電子画像をコピーしたものを裁断し、これを用いてプリントすることなく、上記ＡシートとＢシートを高温・高圧下で互いに貼り合せたり剥がすことで、Ａシートには所定の文字や図形を形成し、これを布地面に圧着することにより簡単にプリントすることが可能となる。
【図面の簡単な説明】
【図１】カラー布地面にプリントしたＡ文字。
【図２】カラー布地面にプリントした白色ベース上に形成したＡ文字。
【図３】カラー布地面にＡ文字をプリントする方法。
【図４】カラー布地面に白色ベースをプリントすると共に、この上にカラーＡ文字を形成する方法。
【符号の説明】
１  コピー用紙
２  Ｂシート
３  トナー
４  基材
５  離型層
６  接着層
７  乳白色層
８  Ａシート
９  基材
１０  離型層
１１  樹脂層
１２  Ｔシャツ
１３  白色ベース
１４    カラートナー
【図１】
0003561775.tif 000002
【図２】
0003561775.tif 000003
【図３】
0003561775.tif 000004
【図４】
0003561775.tif 000005